(57)【要約】【課題】  レンジフードの内部に配置されたシロッコファン等の汚れを防止するためのフィルター構造体を提供する。【解決手段】  フィルター構造体２１は、可撓性を有するシート形状の材料よりなり、広げた状態で吸気口１４の全体を覆うことができるフィルター２２と、フィルター２２に取り付けられフィルター２２を広げた状態に保持する枠体２３と、枠体２３と一体化したフィルター２２をシロッコファン１２に固定する固定具１７ａ〜１７ｄとを備えている。枠体２３は、その枠部２５ａ〜２５ｄの各々に取り付けられたフィルター保持具２９またはフィルター保持具３７を介してフィルター２２に脱着自在に取り付けられ、フィルター２２とシロッコファン１２の前面部１３との間に配置されている。フィルター２２は、枠体２３によって広げた状態で吸気口１４を覆うように保持されるため、シロッコファン１２の内部の汚れを防止することができる。【選択図】        図２
2006175339.tif 000002
【特許請求の範囲】
【請求項１】
吸気口を有する被取付体の外方側に取り付けられるフィルター構造体であって、
可撓性を有するシート形状の材料よりなり、広げた状態で前記吸気口の全体を覆うことができるフィルターと、
前記フィルターに取り付けられ、前記フィルターを前記広げた状態に保持する保持手段と、
前記保持手段が取り付けられた前記フィルターを前記被取付体に固定する固定手段とを備えた、フィルター構造体。
【請求項２】
前記保持手段は、その一部が前記吸気口の外方側に位置するように、前記フィルターと前記被取付体との間に配置される枠体を含む、請求項１記載のフィルター構造体。
【請求項３】
前記枠体は、前記吸気口の周縁部における一部と、前記一部と対向する他の一部とを架け渡すことができるように形成される、請求項２記載のフィルター構造体。
【請求項４】
前記保持手段は、前記枠体と前記フィルターとを脱着自在に取り付けることができる少なくとも１つの保持具を更に含む、請求項３記載のフィルター構造体。
【請求項５】
前記固定具は、前記フィルターの外周部分を前記被取付体に脱着自在に取り付けるように複数配置される、請求項４記載のフィルター構造体。
【請求項６】
前記吸気口は円形状を有し、
前記フィルターはほぼ円形状に形成され、
前記枠体は、前記フィルターのほぼ中央に配置される中央部と、前記中央部に接続され、平面視において各々が前記中央部から前記フィルターの前記外周部分までほぼ十字方向に伸びる４つの枠部とからなり、
前記保持具は、前記枠部の各々の端部に取り付けられ、
前記固定具は、前記枠体が取り付けられた前記フィルターの前記外周部分において、前記枠部の各々の端部のほぼ中間に対応する位置に配置される、請求項５記載のフィルター構造体。
【請求項７】
前記被取付体は、金属フィルターを有するレンジフードにおいて、前記金属フィルターの内方に取り付けられたシロッコファンである、請求項１から請求項６のいずれかに記載のフィルター構造体。
【発明の詳細な説明】
【技術分野】
【０００１】
この発明はフィルター構造体に関し、特にレンジフードの内部に配置されたシロッコファン等の吸気口の外方側に取り付けて使用するフィルター構造体に関するものである。
【背景技術】
【０００２】
図９は、従来のレンジフードの使用状態の概略を示した斜視図である。
【０００３】
図を参照して、調理時の排気を行うために、台所のキッチンレンジの上方に取り付けられたレンジフード７０が一般に使用されている。
【０００４】
このレンジフード７０は、その内部の前面側に取り付けられた一対の金属フィルター７１ａ及び７１ｂと、金属フィルター７１ａ及び７１ｂの内方側に取り付けられたシロッコファン７２とを備えている。シロッコファン７２は、前面部分に吸気口７３が形成され、その上方部分は図示しないダクトに接続されている。
【０００５】
レンジフード７０はこのように構成されているため、シロッコファン７２の運転によって、金属フィルター７１ａ及び７１ｂ外方の空気を吸気口７３から吸い込んで、図示しないダクトを通じて屋外へと排出する。そして、使用時には、金属フィルター７１ａ及び７１ｂによって、吸気口７３からシロッコファン７２の内部へと異物等が入り込んでしまうことが防止されている。
【発明の開示】
【発明が解決しようとする課題】
【０００６】
上記のような従来のレンジフードの使用状態では、金属フィルターの目より大きな異物の侵入は確実に阻止されるが、調理時に生じる油煙の多くは金属フィルターを通過するため、シロッコファンの内部に付着してしまう。
【０００７】
油煙等の付着によってシロッコファンが汚れた場合、シロッコファンの羽根体を取り外して洗浄することも考えられるが、シロッコファンの羽根構造はその形態上、洗浄し難いという問題がある。
【０００８】
この発明は上記のような課題を解決するためになされたもので、レンジフードの内部に配置されたシロッコファン等の汚れを防止するためのフィルター構造体を提供することを目的とする。
【課題を解決するための手段】
【０００９】
上記の目的を達成するために、請求項１記載の発明は、吸気口を有する被取付体の外方側に取り付けられるフィルター構造体であって、可撓性を有するシート形状の材料よりなり、広げた状態で吸気口の全体を覆うことができるフィルターと、フィルターに取り付けられ、フィルターを広げた状態に保持する保持手段と、保持手段が取り付けられたフィルターを被取付体に固定する固定手段とを備えたものである。
【００１０】
このように構成すると、フィルターは、保持手段によって広げた状態で吸気口を覆うように保持される。
【００１１】
請求項２記載の発明は、請求項１記載の発明の構成において、保持手段は、その一部が吸気口の外方側に位置するように、フィルターと被取付体との間に配置される枠体を含むものである。
【００１２】
このように構成すると、フィルターに枠体が吸気口側から接することによって、吸気時のフィルターの撓みを軽減する。
【００１３】
請求項３記載の発明は、請求項２記載の発明の構成において、枠体は、吸気口の周縁部における一部と、一部と対向する他の一部とを架け渡すことができるように形成されるものである。
【００１４】
このように構成すると、吸気時に枠体は吸気口の周縁部によって支持されるため、被取付体に対する枠体の配置が安定する。
【００１５】
請求項４記載の発明は、請求項３記載の発明の構成において、保持手段は、枠体とフィルターとを脱着自在に取り付けることができる少なくとも１つの保持具を更に含むものである。
【００１６】
このように構成すると、フィルターは保持具を介して枠体に脱着自在に取り付けられる。
【００１７】
請求項５記載の発明は、請求項４記載の発明の構成において、固定具は、フィルターの外周部分を被取付体に脱着自在に取り付けるように複数配置されるものである。
【００１８】
このように構成すると、フィルターの外周部分が被取付体に固定される。
【００１９】
請求項６記載の発明は、請求項５記載の発明の構成において、吸気口は円形状を有し、フィルターはほぼ円形状に形成され、枠体は、フィルターのほぼ中央に配置される中央部と、中央部に接続され、平面視において各々が中央部からフィルターの外周部分までほぼ十字方向に伸びる４つの枠部とからなり、保持具は、枠部の各々の端部に取り付けられ、固定具は、枠体が取り付けられたフィルターの外周部分において、枠部の各々の端部のほぼ中間に対応する位置に配置されるものである。
【００２０】
このように構成すると、フィルターは、吸気口の周縁部においてほぼ等間隔の８カ所の部分で保持される。
【００２１】
請求項７記載の発明は、請求項１から請求項６のいずれかに記載の発明の構成において、被取付体は、金属フィルターを有するレンジフードにおいて、金属フィルターの内方に取り付けられたシロッコファンとしたものである。
【００２２】
このように構成すると、レンジフード内部のシロッコファンの吸気口がフィルターにより覆われた状態となる。
【発明の効果】
【００２３】
以上説明したように、請求項１記載の発明は、フィルターは、保持手段によって広げた状態で吸気口を覆うように保持されるため、吸気口内部の汚れを防止することが可能となる。
【００２４】
請求項２記載の発明は、請求項１記載の発明の効果に加えて、フィルターに枠体が吸気口側から接することによって、吸気時のフィルターの撓みを軽減するため、フィルターの保持が安定する。また、フィルターと被取付体との間に枠体が配置されるため、フィルターの外方面の全体が有効に利用される。
【００２５】
請求項３記載の発明は、請求項２記載の発明の効果に加えて、被取付体に対する枠体の配置が安定するため、フィルターの広げた状態がより安定し、吸気口内の汚れを確実に防止することが可能となる。
【００２６】
請求項４記載の発明は、請求項３記載の発明の効果に加えて、フィルターは保持具を介して枠体に脱着自在に取り付けられるため、フィルターのみを交換することが可能となる。
【００２７】
請求項５記載の発明は、請求項４記載の発明の効果に加えて、フィルターの外周部分が被取付体に固定されるため、フィルターの取り付けだけで、同時に枠体を所定位置に配置することが可能となる。
【００２８】
請求項６記載の発明は、請求項５記載の発明の効果に加えて、フィルターは、吸気口の周縁部においてほぼ等間隔の８カ所の部分で保持されるため、吸気時のフィルターの撓みが軽減され、フィルターを広げた状態がより一層安定する。
【００２９】
請求項７記載の発明は、請求項１から請求項６のいずれかに記載の発明の効果に加えて、レンジフード内部のシロッコファンの吸気口がフィルターにより覆われた状態となるため、シロッコファンの汚れを防止することが可能となる。
【発明を実施するための最良の形態】
【００３０】
図１は、この発明の第１の実施の形態によるフィルター構造体の使用状態の概略を示した分解斜視図である。
【００３１】
図を参照して、台所のガスレンジ等の上方に取り付けて使用されるレンジフード１０は、その前面側の二点鎖線で示した位置に脱着自在に取り付けられる金属フィルター１１ａ及び１１ｂと、金属フィルター１１ａ及び１１ｂの内方に固定されたシロッコファン１２とを備えている。このシロッコファン１２はその前面部１３に吸気口１４を有し、その上方部分が図示しないダクトに接続されている。そして、シロッコファン１２の吸気口１４を覆うようにフィルター構造体２１が取り付けられている。
【００３２】
まず、このフィルター構造体２１の構成について説明する。
【００３３】
図２は、図１で示したシロッコファン部分の拡大正面図であり、図３は、図２で示したＩＩＩ−ＩＩＩラインの断面図である。
【００３４】
これらの図を参照して、フィルター構造体２１は、可撓性を有するシート形状の材料よりなり、広げた状態で吸気口１４の全体を覆うことができるフィルター２２と、フィルター２２に取り付けられフィルター２２を広げた状態に脱着自在に保持する枠体２３と、枠体２３と一体化したフィルター２２をシロッコファン１２に固定する固定具１７ａ〜１７ｄとを備えている。
【００３５】
フィルター２２は、例えば不織布の打ち抜き加工によって外郭がほぼ円形状に形成され、その外周部分には平面視においてほぼ矩形形状を有する４つの取付部２７が等間隔に接続されると共に、隣接する取付部２７の中間部分にほぼ半円形状の切欠２８ａ〜２８ｄが形成されている。この４つの取付部２７の各々は、取り付け時における固定具１７ａ〜１７ｄの配置の目安として設けられているものであり、切欠２８ａ〜２８ｄの各々はフィルター２２への枠体２３の取り付け時の目安として設けられているものである。尚、この点の更なる詳細については後述する。
【００３６】
枠体２３は、例えばポリプロピレンの射出成形により形成され、フィルター２２のほぼ中央に配置される中央部２４と、各々が中央部２４に接続され、平面視において中央部２４からほぼ十字方向に伸びる枠部２５ａ〜２５ｄとから構成されている。これらの中央部２４及び枠部２５ａ〜２５ｄの各々は、シロッコファン１２の運転時の通気性を確保するために、平面視において中空形状となるように形成されている。また、枠部２５ａ及び２５ｃの端部の各々の距離と、枠部２５ｂ及び２５ｄの端部の各々の距離とは、いずれも吸気口１４の直径より大きくなるように設定されている。
【００３７】
このように形成された枠体２３は、シロッコファン１２の前面部１３とフィルター２２との間において、吸気口１４の外周縁にネジ１６ａ〜１６ｄを介して取り付けられた保護リング１５の外方面と接した状態で配置されている。尚、図３に示されるように、ネジ１６ａ〜１６ｄは、保護リング１５の外方面から突出した状態で取り付けられている。
【００３８】
更に、枠体２３の枠部２５ａ及び２５ｃの各々の端部には、フィルター２２を貫通した状態で保持することができる一対のフィルター保持具３７が枠体２３と一体的に形成され、枠部２５ｂ及び２５ｄの各々の端部には面状ファスナーよりなる一対のフィルター保持具２９が取り付けられている。これらのフィルター保持具２９及びフィルター保持具３７によって、フィルター２２は枠体２３に脱着自在に取り付けられている。
【００３９】
固定具１７ａは、図３に示されるように、磁石１８とヨーク１９とから構成され、金属板よりなるシロッコファン１２の前面部１３への吸着効果によって、フィルター２２の外周部分における取付部２７が脱着自在に固定されている。また、他の固定具１７ｂ〜１７ｄも固定具１７ａと同一構成を有し、フィルター２２の外周部分における取付部の各々が、固定具１７ｂ〜１７ｄの各々によって脱着自在にシロッコファン１２に取り付けられている。
【００４０】
次に、上記のフィルター保持具の各々について更に説明する。
【００４１】
図４は、図２で示したＩＶ−ＩＶラインの拡大端面図である。
【００４２】
図を参照して、枠体２３の枠部２５ｂの端部の上部に取り付けられたフィルター保持具２９は、その横断面がほぼ一定形状を有する面状ファスナーよりなり、その下面の幅方向における両端から下方に伸びる一対の脚部３０ａ及び３０ｂと、その下面のほぼ中央から下方に伸び、その下端に鉤状部３２ａ及び３２ｂが形成された脚部３１とを備えている。
【００４３】
一方、枠体２３の枠部２５ｂの上部には、上方に突出した形状の凸部３４が形成され、更に凸部３４の中央部分には、枠部２５ｂと同方向に伸びるスリット３３が形成されている。この凸部３４の横断面形状はフィルター保持具２９の下面の横断面と対応する形状に形成され、スリット３３の幅はフィルター保持具２９の脚部３１の幅とほぼ同じ寸法に設定されている。
【００４４】
フィルター保持具２９は、その脚部３１を枠部２５ｂのスリット３３に、スリット３３の軸方向（紙面と直交する方向）から嵌め込んだ状態で取り付けられている。これにより、鉤状部３２ａ及び３２ｂを有する脚部３１と凸部３４とが係合し、フィルター保持具２９の上方向への抜け出しが阻止された状態となる。
【００４５】
このようにして面状ファスナーよりなるフィルター保持具２９と枠体２３とが嵌め込みによって接続されているため、枠体２３を油煙が付着しやすい場所で使用しても、フィルター保持具２９が枠体２３から脱落する虞はなく、安定してフィルター２２を保持することができる。
【００４６】
図５は、図２で示した”Ｙ”部分の拡大図であり、図６は、図５で示したＶＩ−ＶＩラインの拡大断面図であり、図７は、図５で示したＶＩＩ−ＶＩＩラインの拡大断面図である。
【００４７】
これらの図を参照して、フィルター保持具３７は、その先端４１から枠部２５ａ側へと広がる形状を有する第１係合部３８と、第１係合部３８の枠部２５ａ側に接続され、枠部２５ａ側へと広がる形状を有する第２係合部３９と、第２係合部３９の枠部２５ａ側に接続され、その軸方向が枠部２５ａ側へ伸びる胴部４０とを備えている。尚、このフィルター保持具３７は、枠部２５ａと一体的に形成されており、胴部４０の下端が枠部２５ａに接続されている。そして、胴部４０の軸方向と直交する平面への第１係合部３８及び第２係合部３９の各々の投影面積が、当該平面に対する胴部４０の投影面積より大きく、且つ当該平面に対するフィルター保持具３７全体の投影面積より小さくなるように設定されている。また、この実施の形態におけるフィルター保持具３７では、更に、胴部４０の側壁４２ａから第１係合部３８の下端までの水平距離と、胴部４０の側壁４２ｂから第２係合部３９の下端までの水平距離とがいずれも等しく、距離ｄとなるように設定されている。
【００４８】
更に、フィルター保持具３７は、第１係合部３８の先端４１が尖るように形成されると共に、第１係合部３８及び第２係合部３９の各々の枠部２５ａ側の部分が返し形状となるように形成されている。
【００４９】
フィルター２２の取り付け時には、図６及び図７の破線で示した位置のフィルター２２に対して、第１係合部３８の尖った先端４１を突き刺した後、フィルター保持具３７でフィルター２２を突き破るようにして、図の二点鎖線で示した位置までフィルター２２を貫通させる。このフィルター２２の取り付け過程においては、一旦第１係合部３８がフィルター２２を貫通すると、フィルター２２には第１係合部３８の突き破りによって、図６における左右方向の寸法がｄの開口が形成されることになる。そのため、続いて第２係合部３９を貫通させる際には、第２係合部３９は、フィルター２２を新たに突き破ることなく第１係合部３８によって形成された開口を通過することができる。
【００５０】
このように、第１係合部３８及び第２係合部３９を段違いに形成することによって、第１係合部３８及び第２係合部３９の両方を貫通させる際にフィルター２２に生じる開口の大きさが小さくなるため、フィルター２２を突き破るために要する力が軽減され、フィルター２２を容易に取り付けることが可能となる。また、一旦フィルター２２を図の二点鎖線で示した位置に取り付けた後は、フィルター２２に生じた開口の大きさに対して、第１係合部３８及び第２係合部３９のフィルター２２への投影面積の方が大きいため、フィルター２２を安定してフィルター保持具３７に保持することが可能となる。更に、第１係合部３８及び第２係合部３９の各々の下面が返し形状に形成されているため、フィルター２２は、図の二点鎖線で示した位置から先端４１側へと抜け出そうしても、第１係合部３８及び第２係合部３９の下端部分に引っ掛かりやすく、フィルター２２のフィルター保持具３７からの脱落が一層防止されている。
【００５１】
ここで、上記のように構成されたフィルター構造体のシロッコファンへの取り付け方法について説明する。
【００５２】
図８は、図１で示したフィルター構造体のシロッコファンへの取り付け過程の一例を示した概略工程図である。
【００５３】
図８の（１）を参照して、まず、図の実線で示したフィルター２２を、枠体２３のフィルター保持具２９及びフィルター保持具３７が取り付けられた側（紙面の上方側）に取り付ける。このとき、図の二点鎖線で示すように、枠体２３の中央部とフィルター２２の中央とをほぼ一致させると共に、枠部２５ａ〜２５ｄの各々の先端が、フィルター２２の外周部分に形成された切欠２８ａ〜２８ｄの各々と対応する位置となるようにフィルター２２と枠体２３との位置関係を調整する。次に、位置合わせされたフィルター２２の外周部分を、枠部２５ｂ及び２５ｄの端部に取り付けられたフィルター保持具２９（面状ファスナー）の各々に取り付ける。更に、枠部２５ａ及び２５ｃの端部に形成されたフィルター保持具３７の各々をフィルター２２に突き刺して貫通させると、フィルター２２と枠体２３とが４点で接続されて一体化された状態となる。
【００５４】
次に、図８の（２）の破線で示すように、枠体２３と一体化されたフィルター２２がシロッコファン１２の吸気口１４を覆うと共に、枠体２３がシロッコファン１２とフィルター２２との間において、吸気口１４に架け渡された状態となるように仮置きする。このとき、外方へと突出した保護リング１５のネジ１６ａ及び１６ｂを避けて安定して枠体２３を配置するために、フィルター２２を図における時計回り方向等に回転させ、図の実線で示すように取り付け位置を調整する。尚、このようなフィルター２２の位置調整は、保護リング１５のネジ１６及び１６ｂが突出しておらず、枠体２３の配置に支障がない場合には、必ずしも必要な操作ではない。また、保護リング１５やネジ１６ａ及び１６ｂの形状やネジの数は、レンジフードの機種毎に異なるが、枠体２３と保護リング１５との重なりが少なくなるように枠体２３の形状が設定されているため、位置調整の際に枠体２３の回転の程度を適宜調節すれば、様々な機種のレンジフードのシロッコファン１２に取り付けることが可能である。
【００５５】
そして、図８の（３）に示すように、４つの固定具１７ａ〜１７ｄで、位置決めされたフィルター２２の取付部２７の各々をシロッコファン１２の前面部１３に固定すると、フィルター構造体２１の取り付けが完了する。
【００５６】
以上のようにすると、フィルター２２は、枠体２３とフィルター保持具２９及びフィルター保持具３７とによって、広げた状態で吸気口１４を覆うように保持されるため、シロッコファン１２の吸気口１４内部の汚れを防止することが可能となる。そして、フィルター２２は、フィルター保持具２９及びフィルター保持具３７によって脱着自在に枠体２３に取り付けられているため、使用によってフィルター２２に油煙等が付着した場合には、フィルター２２のみを交換すれば、持続してシロッコファン１２の汚れを防止することができる。
【００５７】
特に、この実施の形態においては、枠体２３はフィルター２２とシロッコファン１２との間に配置されている。したがって、枠体２３が吸気口側からフィルター２２に接することによって、吸気時のフィルター２２の撓みが軽減されているため、フィルター２２を安定して保持することが可能である。また、フィルター２２とシロッコファン１２との間に枠体が配置されているため、フィルター２２の外方面全体が汚れ防止のために有効に利用されることになる。
【００５８】
また、枠体２３は、上述したように平面視ほぼ十字形状を有し、吸気口１４の外周縁の一部と、当該一部と対向する他の一部とを縦横に架け渡すことができる大きさに形成されている。これにより、被取付体であるシロッコファン１２に対する枠体２３の配置が安定するため、フィルター２２の広げた状態がより安定し、吸気口１４内の汚れを確実に防止することが可能である。
【００５９】
更に、フィルター２２はその外周縁部分のみが固定具１７ａ〜１７ｄによって固定されるため、シロッコファン１２へのフィルター２２の取り付けだけで、同時に枠体２３を所定の位置に配置することが可能となる。この取り付けの際には、固定具１７ａ〜１７ｄの各々は、フィルター２２の外周部分に形成された４つの取付部２７、すなわち、枠部２５ａ〜２５ｄの各々の端部のほぼ中間に対応した位置に配置されている。このようにすると、フィルター２２は、一対のフィルター保持具２９と一対のフィルター保持具３７と４つの固定具１７ａ〜１７ｄとによって、吸気口１４の周縁部においてほぼ等間隔の合計８カ所の部分で保持されることになる。したがって、吸気時のフィルター２２の撓みが軽減され、フィルター２２を広げた状態がより一層安定する。
【００６０】
尚、上記の第１の実施の形態では、レンジフードのシロッコファンの円形状の吸気口に適用しているが、レンジフードのシロッコファン以外や異なった形状の吸気口を有する被取付体にも同様に適用することが可能である。
【００６１】
また、上記の第１の実施の形態では、フィルターを保持するための保持手段を構成する枠体は、フィルターとシロッコファンとの間に配置されているが、必ずしもこのように構成する必要はなく、フィルターを広げた状態に保持することができれば、フィルターの外方面に枠体を配置しても良い。または、フィルターの内方面と外方面との両方に枠体を配置しても良い。
【００６２】
更に、上記の第１の実施の形態では、枠体は、吸気口の周縁部の一部と、当該一部と対向する他の一部とを架け渡すことができる形状に形成されているが、必ずしもこのように構成する必要はなく、枠体はフィルターを広げた状態に保持できる形状であれば良い。
【００６３】
更に、上記の第１の実施の形態では、枠体とフィルターとは脱着自在に取り付けられているが、枠体とフィルターとを一体的に形成しても良い。
【００６４】
更に、上記の第１の実施の形態では、固定具によって、フィルターの外周部分がシロッコファンに取り付けられているが、フィルターに取り付けられた枠体の部分をシロッコファンに、例えば面状ファスナー、粘着剤、粘着テープ等を介して直接固定できるように構成しても良い。
【００６５】
更に、上記の第１の実施の形態では、枠体には２種類の特定のフィルター保持具が取り付けられているが、フィルターを枠体に脱着自在に取り付けることができれば、例えば粘着剤や粘着テープのような他の形状の保持具を取り付けても良い。また、枠体の４つの枠部には、必ずしも２種類の保持具を用いる必要はなく、枠部の各々に同一の保持具を取り付けても良い。
【００６６】
更に、上記の第１の実施の形態では、４つのフィルター保持具が枠体における枠部の各々の端部に取り付けられているが、必ずしもこのように構成する必要はなく、枠体の他の部分にフィルター保持具を取り付けても良い。また、フィルター保持具の構造や数量は適宜変更しても良い。
【００６７】
更に、上記の第１の実施の形態では、枠体をポリプロピレンの射出成形によって平面視ほぼ十字形に形成しているが、必ずしもこのように構成する必要はなく、枠体を他の材質で他の形状となるように形成しても良い。
【００６８】
更に、上記の第１の実施の形態では、フィルターとして不織布を用いているが、フィルターの材質や形状は、これに限定されるものではなく、使用可能であれば公知のフィルターの材質や形状を採用したり、適宜設計することもできる。
【００６９】
更に、上記の第１の実施の形態では、磁石とヨークとからなる４つの固定具によってフィルターが固定されているが、必ずしもこのように構成する必要はなく、フィルターを被取付体に固定することができれば、固定具の構造や数量は変更しても良い。
【図面の簡単な説明】
【００７０】
【図１】この発明の第１の実施の形態によるフィルター構造体の使用状態の概略を示した分解斜視図である。
【図２】図１で示したシロッコファン部分の拡大正面図である。
【図３】図２で示したＩＩＩ−ＩＩＩラインの断面図である。
【図４】図２で示したＩＶ−ＩＶラインの拡大端面図である。
【図５】図２で示した”Ｙ”部分の拡大図である。
【図６】図５で示したＶＩ−ＶＩラインの拡大断面図である。
【図７】図５で示したＶＩＩ−ＶＩＩラインの拡大断面図である。
【図８】図１で示したフィルター構造体のシロッコファンへの取り付け過程の一例を示した概略工程図である。
【図９】従来のレンジフードの使用状態の概略を示した斜視図である。
【符号の説明】
【００７１】
１０…レンジフード
１１…金属フィルター
１２…シロッコファン
１４…吸気口
１７…固定具
２１…フィルター構造体
２２…フィルター
２３…枠体
２４…中央部
２５…枠部
２９、３７…フィルター保持具
尚、各図中同一符号は同一または相当部分を示す。
【図１】
2006175339.tif 000003
【図２】
2006175339.tif 000004
【図３】
2006175339.tif 000005
【図４】
2006175339.tif 000006
【図５】
2006175339.tif 000007
【図６】
2006175339.tif 000008
【図７】
2006175339.tif 000009
【図８】
2006175339.tif 000010
【図９】
2006175339.tif 000011